(57)【要約】  室内ユニット（Ｘ）と室外ユニット（Ｙ）とから構成され、室内ユニット（Ｘ）と室外ユニット（Ｙ）相互を冷媒配管と電源線及び通信線で接続してなり、室内ユニット（Ｘ）は配線接続部（Ｚ）を備え、この配線接続部（Ｚ）は、上部手前側に設けられ電源線（Ｃ３，Ｃ４）が接続される電源線用端子台（１３）と、下部奥側に設けられ通信線（Ｃ１，Ｃ２）が接続される通信線用端子台（１４）と、通信線及び通信線用端子台（１４）の一部を覆うとともに電源線端子台（１３）に接続される電源線を固定するクランプ具（２６）を備えたクランプベース（７）とを具備することで、電源線（Ｃ３，Ｃ４）と通信線（Ｃ１，Ｃ２）を接続する配線接続部（Ｚ）において、省スペース化を図るとともに、配線作業性の向上化を得られるようにした。
2010050600.tif 000002
【特許請求の範囲】
【請求項１】
互いに、冷媒配管で接続される室内ユニットと室外ユニットとからなる空気調和装置において、
上記室内ユニットは、配線接続部を備え、
この配線接続部は、
上部手前側に設けられ、電源線が接続される電源線用端子台と、
下部奥側に設けられ、通信線が接続される通信線用端子台と、
上記通信線及び上記通信線用端子台の少なくとも一部を覆い、かつ上記電源線端子台に接続される上記電源線を固定するクランプ部を備えたクランプベースと、
を具備することを特徴とする空気調和装置。
【請求項２】
上記室内ユニットは、被空調室の壁面に取付けられる壁掛けタイプであり、
上記配線接続部は、上記室内ユニットの一側部に収容される電気部品箱の前面に設けられることを特徴とする請求項１記載の空気調和装置。
【請求項３】
上記室内ユニットは、複数の被空調室にそれぞれ取付けられる複数の室内ユニットのうちの、少なくとも１台を構成することを特徴とする請求項２記載の空気調和装置。
【発明の詳細な説明】
【技術分野】
【０００１】
本発明は、室内ユニットと室外ユニットとから構成される空気調和装置に係り、特に室内ユニットに備えられ、電源線と通信線が接続される配線接続部の構造改良に関する。
【背景技術】
【０００２】
被空調室の壁面高所に取付けられる壁掛け型の室内ユニットと、屋外に配置される室外ユニットとからなる空気調和装置が多用される。上記室内ユニットと室外ユニットは、冷媒配管と電源線及び通信線で接続されている。室内ユニットには配線接続部が設けられた電気部品箱が備えられ、電源線や通信線が接続される。【０００３】
室内ユニットの被空調室壁面に対する取付けスペースを最小限にする反面、室内熱交換器は必要な熱交換量を確保しなければならない。そのため、室内ユニットの内部空間は、ほとんど大部分を室内熱交換器が占めていて、この一側部に電気部品箱が配置され、電気部品箱の前面に配線接続部が並設される。【０００４】
電気部品箱とともに、配線接続部も、より小型化を図る必要がある。しかしながら、従来の配線接続部は、電源線が接続される電源用端子台と、通信線が接続される通信線用端子台とが左右に横並びに配置され、左右幅方向に長い構造となっていた。そこで、電装ボックスの左右幅方向の縮小化を図ったものが知られている（例えば、特開２００７−２４８０１１号公報）。
【発明の開示】
【０００５】
上述した特開２００７−２４８０１１号公報に記載された技術は、電気部品箱の上面に第１載置面が形成され、この第１載置面に電源コード用端子板が取付けられる。この電源コード用端子板上に電源コード押えが配置され、この電源コード押えの上部に外部配線用端子台が配置される。そして、外部配線用端子台の上部に外部配線押えが取付けられる。
【０００６】
このように電気部品箱は、各構成部品が上下に積み重ねられた状態で構成されるため、左右の幅方向寸法が小さく（狭く）てすみ、取付けスペースの低減化を図れる。しかしながら、配線作業性の点においては疑問が残る。
【０００７】
すなわち、電源コード用端子板に接続される電源コードは、最も下部に位置することとなる。この電源コードを取外しする場合は、最も上部にある外部配線押えを取外し、その下の外部配線用端子台を取外し、その下の電源コード押えを取外すことで、電源コード用端子板に接続された電源コードが露出する。
【０００８】
電源コードを取外して必要な作業を終えた後は、再び電源コードを電源コード用端子板に接続し、この電源コード用端子板の上に電源コード押えを取付け、この電源コード押えの上部に外部配線用端子台を取付け、この外部配線用端子台の上部に外部配線押えを取付ける。このように配線作業に手間がかかって、作業性が悪いものである。
【０００９】
本発明は上記事情にもとづきなされたものであり、その目的とするところは、室内ユニットに備えられ、電源線と通信線を接続する配線接続部において、省スペース化を図るとともに、配線作業性の向上化を得られるようにした空気調和装置を提供しようとするものである。
【００１０】
上記目的を満足するため本発明の空気調和装置は、室内ユニットと室外ユニットとから構成され、これら室内ユニットと室外ユニット相互を冷媒配管で接続してなり、室内ユニットは配線接続部を備えており、この配線接続部は、上部手前側に電源線が接続される電源線用端子台が設けられ、下部奥側に通信線が接続される通信線用端子台が設けられ、クランプ部を備えたクランプベースが通信線及び通信線用端子台の少なくとも一部を覆うとともに電源線端子台に接続される電源線を固定する。
【図面の簡単な説明】
【００１１】
【図１】図１は、本発明における実施の形態に係る空気調和装置を構成する室内ユニットの外観斜視図である。
【図２】図２は、同空気調和装置に取付けられる配線接続部の分解した斜視図である。
【図３】図３は、同配線接続部におけるリモコン通信線の接続構造を示す図である。
【図４】図４は、同配線接続部におけるリモコン通信線の他の接続構造を示す図である。
【図５】図５は、同配線接続部における電源線の接続構造を示す図である。
【図６】図６は、同空気調和装置全体の配線接続を示す図である。
【図７】図７は、同配線接続部における電源線の他の接続構造を示す図である。
【図８】図８は、同実施の形態に係る他の空気調和装置全体の配線接続を示す図である。
【図９】図９は、図８に係る配線接続部における電源線の接続構造を示す図である。
【図１０】図１０は、図８に係る配線接続部における電源線の別の接続構造を示す図である。
【発明を実施するための最良の形態】
【００１２】
以下、本発明の一実施の形態を、図面にもとづいて説明する。【００１３】
図１は、被空調室の壁面に取付けられる、いわゆる壁掛け形の室内ユニットＸの斜視図であり、この室内ユニットＸと室外ユニットで空気調和装置を構成する。【００１４】
そして、図１は、筐体１の前面に設けられる吸込みグリル２を開放した状態を示していて、この吸込みグリル２は筐体１内に収容される室内熱交換器と、後述する配線接続部Ｚを覆う。換言すれば、室内熱交換器と配線接続部Ｚは、筐体１の前面に並設され、吸込みグリル２によって開閉される。【００１５】
筐体１の上部にはグリルが嵌め込まれ、常時、開放状態にある上部吸込み口３が設けられる。ここでは、吸込みグリル２は開閉機構に連結されていて、空調運転開始とともに開閉機構が作動し、吸込みグリル２は筐体１前面と間隙を存するよう移動する。したがって、これらの間隙を介して室内空気が吸込まれる。【００１６】
筐体１下部には、吹出し口が設けられる。この吹出し口に複数枚の羽根板からなるルーバーが設けられていて、冷房運転と暖房運転など、空調運転の種類に応じて回動角度が設定される。筐体１の裏面側から図示しない冷媒配管と電源線及び通信線が延出されている。【００１７】
冷媒配管は室外ユニットＹに接続され、電源線は室内の電源コンセント、もしくは室外ユニットＹ、もしくは複数台の室内ユニットが備えられるマルチタイプの場合は他の室内ユニットあるいは切換えユニットに接続される。【００１８】
通信線は室内ユニットに備えられるリモコン、もしくは室外ユニットＹの制御装置、もしくはマルチタイプの場合は集中管理室のリモコンに接続される。【００１９】
次に、配線接続部Ｚについて詳述する。【００２０】
図２は、配線接続部Ｚを分解した斜視図である。【００２１】
上記配線接続部Ｚは、室内熱交換器の側部に配置される電気部品箱４の前面側に取付けられている。すなわち、室内熱交換器の側部に、配線接続部Ｚと電気部品箱４が前後して配置されている。なお、電気部品箱４は筐体１に対して着脱自在である。【００２２】
配線接続部Ｚは、接続部本体５と、配線カバー６及びクランプベース７とから構成される。図２は、接続部本体５からクランプベース７を取外すとともに、配線カバー６を取外して示している。【００２３】
上記接続部本体５は、前面が開口する矩形の皿状をなし、電気部品箱４の前面側に取付けられる。接続部本体５と略同一形状の配線カバー６が、接続部本体５の周縁部に着脱自在に嵌り込まれる。上記クランプベース７は、後述するように接続部本体５に着脱自在に取付けられ、接続部本体５と配線カバー６との間に収容される。【００２４】
接続部本体５の、図中上下方向の略中央部で、図中左右方向の右側部に、軸方向に沿って取付け用孔を備えた第１のボス部８が突設される。さらに、第１のボス部８の下部側には、軸方向に沿ってねじ孔を備えた第２のボス部９が突設される。【００２５】
これに対してクランプベース７には、取付け用ねじ１０ａの頭部直径よりも大なる孔部７ａが設けられるとともに、この孔部７ａの近傍部位に、取付け用ねじ１０ｂのねじ部が挿通する取付け用孔が設けられる。【００２６】
上記配線カバー６の所定部位には、取付け用ねじ１０ａのねじ部が挿通する取付け用孔６ａが設けられる。配線カバー６に設けられる取付け用孔６ａは、クランプベース７の孔部７ａと、接続部本体５の第１のボス部８と対向する位置に設けられている。【００２７】
クランプベース７を接続部本体５に取付けるには、クランプベース７の取付け用孔に取付けねじ１０ｂのねじ部を挿通して突出させ、このねじ部を接続部本体５に設けられる第２のボス部９のねじ孔に螺挿することで可能である。この状態で、接続部本体５に設けられる第１のボス部８がクランプベース７の孔部７ａに挿通する。【００２８】
さらに、配線カバー６を接続部本体５に取付けるには、配線カバー６の取付け用孔６ａに取付けねじ１０ａのねじ部を挿通し、このねじ部を接続部本体５に設けられクランプベース７の孔部７ａから突出する第１のボス部８のねじ孔に螺挿することで可能である。【００２９】
後述するように配線作業を終了した後、接続部本体５に配線カバー６を取付けることで箱状の配線接続部Ｚが組立てられる。例えばメンテナンス作業など必要に応じて、配線カバー６に設けられる取付け用孔６ａに工具を挿入し取付け用ねじ１０ａを外すことで、配線類を接続したままで配線カバー６を接続部本体５から取外せる。【００３０】
次に、上記接続部本体５について詳述すると、この上部手前側に、図２に拡大して示す電源線用端子台１３が設けられ、電源線用端子台１３の下部奥側に通信線用端子台１４が設けられる。さらに、上記通信線用端子台１４の下部側にクランプベース取付け部１５が設けられ、この下部側にアース端子部１６が設けられる。【００３１】
これら電源線用端子台１３と、通信線用端子台１４と、クランプベース取付け部１５及びアース端子部１６は、全て接続部本体５の前面開口部に露出する。換言すれば、配線カバー６を接続部本体５から取外しておけば、電源線用端子台１３と、通信線用端子台１４及びクランプベース取付け部１５に対する作業が容易に行える。【００３２】
上記電源線用端子台１３は、上端が奥側で下端が手前側になるよう斜めに傾斜していて、上下方向の略中間部に銘板１８が設けられる。銘板１８には、Ｒ（Ｌ）、Ｓ（Ｎ）等の文字が左右に並んで描けられる。銘板１８の下部に左右に並んでねじ端子部１９が２個設けられ、銘板１８の上部にはファストン端子部２０が左右に並んで２個設けられる。【００３３】
上記通信線用端子台１４は、上端が奥側で下端が手前側になるよう斜めに傾斜していて、４個の端子カバー２１が左右幅方向に並んで設けられる。上記端子カバー２１を取外した状態を図３等に示している。【００３４】
通信線用端子台１４の上下方向の略中間部に、Ｕ１、Ｕ２、Ａ、Ｂ等の文字が左右に並んで描かれた銘板２２が設けられる。銘板２２の下部にはねじ端子部２３が左右に並んで４個設けられ、上部には電気部品箱４から延出される配線コードの端部が接続される端子部２４が左右に並んで４個設けられる。【００３５】
再び図２に示すように、上記クランプベース取付け部１５には、上述した第１のボス部８と第２のボス部９が設けられるとともに、コードバンド２５が取付けられる。コードバンド２５は横長の帯状バンドを折り返してなり、折り返された端部相互を重ね合わせたうえで、取付けねじを介してクランプベース取付け部１５に取付けたものである。【００３６】
したがって、折り返されたコードバンド２５内に通信線を挿入することで、通信線の大きな位置ずれを規制できるようになっている。【００３７】
上記クランプベース７には、ここでは２個のクランプ具２６が取付けられる。各クランプ具２６は、縦方向に比較して左右幅方向が長い片部からなり、幅方向の中央部で縦方向に沿って手前側に膨出する膨出部２６ａが設けられる。上記膨出部２６ａは、電源線と通信線が嵌り込むことができる曲率半径の半円状に形成される。【００３８】
クランプ具２６の左右幅方向の両側部に、取付け用ねじ２７が挿通する孔部が設けられている。上記取付け用ねじ２７のねじ部はクランプ具２６裏面から突出し、クランプベース７の所定部位に設けられるねじ孔に螺挿される。【００３９】
次に、配線接続部Ｚに対する実際の配線接続構造について説明する。【００４０】
例えば、図６に示すような１台の室外ユニットＹに対して複数台の室内ユニットＸを、冷媒配管及び通信線を介して接続してなる、いわゆるマルチタイプと呼ばれる空気調和装置に適用する。ここで、室内ユニットＸは、各々に冷媒流量調整可能な弁（図示しない）を備えており、各室内ユニットＸ毎に運転／停止／温度設定／風量設定が可能になっている。【００４１】
はじめ、接続部本体５は電気部品箱４の前面に取付けられ、接続部本体５から配線カバー６とともにクランプベース７を取外しておく。したがって、クランプベース取付け部１５にある第１のボス部８、第２のボス部９、コードバンド２５及び、アース端子部１６などが露出する。【００４２】
この状態で図３に示すように、電気部品箱４から延出されるコード類が、電源線用端子台１３の銘板１８から上部側のファストン端子部２０と、端子カバー２１を取外した通信線用端子台１４の銘板２２から上部側の端子部２４に接続されている。【００４３】
室外ユニットＹまたは室内ユニットＸと内外渡り線（通信線）により接続された室内ユニットＸから延出される内外渡り線（通信線）Ｃ１をコードバンド２５に挿通し、この端部被覆を剥いて、１本を「Ｕ１」と記載されたねじ端子部２３に接続する。そして、他の１本を「Ｕ２」と記載されたねじ端子部２３に接続する。【００４４】
次に、図４に示すように、この室内ユニットＸが取付けられる被空調室のリモコンと接続する通信線Ｃ２をコードバンド２５に挿通する。この通信線Ｃ２の端部被覆を剥き、１本を「Ａ」と記載されたねじ端子部２３に接続し、他の１本を「Ｂ」と接続されたねじ端子部２３に接続する。【００４５】
そして、取付けねじ１０ｂのねじ部をクランプベース７の取付け用孔を介して第２のボス部９のねじ孔に螺挿することで、クランプベース７を接続部本体５に取付ける。クランプベース７は、通信線用端子台１４の一部を覆うとともに、内外渡り線（通信線）Ｃ１と通信線Ｃ２及びコードバンド２５を接続部本体５に押え付け、固定する。【００４６】
予めクランプ具２６の取付け用ねじ２７を緩めておき、クランプベース７とクランプ具２６との間に隙間を形成する。図５に示すように、上記隙間に電源線Ｃ３の一端部を挿通してクランプ具２６の膨出部２６ａに嵌め込み、端部の被覆を剥いて電源線用端子台１３のねじ端子部１９に接続する。アース線はアース端子部１６に接続する。【００４７】
そして、クランプ具２６に挿通する取付け用ねじ２７を締め付け、クランプベース７にクランプ具２６を締結する。電源線Ｃ３はクランプ具２６によってクランプベース７に押付けられ、固定される。電源線Ｃ３の他端部に設けられるプラグは、被空調室に設けられるコンセント（２００Ｖ）に電気的に接続する。【００４８】
以上で、実質的な配線接続作業が終了する。あとは、接続部本体５に配線カバー６を嵌め込むことで配線接続部Ｚが組立てられる。他の被空調室に備えられる室内ユニットＸに対しても同様の作業を行えば、１台の室外ユニットＹに対して複数台の室内ユニットＸから構成されるマルチタイプの空気調和装置の運転が可能となる。【００４９】
配線接続部Ｚと通信線Ｃ２を介して接続される被空調室のリモコンで、室内ユニットＸの空調運転開始と終了の運転制御や、冷房運転と暖房運転等の切換え、室内温度の設定等の制御を行う。【００５０】
このように、接続部本体５の上部手前側に電源線用端子台１３を備えて電源線Ｃ３を接続し、下部奥側に通信線用端子台１４を備えて通信線Ｃ１，Ｃ２を接続するようにしたから、電源線Ｃ３と通信線Ｃ１，Ｃ２のいずれか一方の接続作業をなすとき、他方の端子台もしくは線が邪魔にならずにすみ、作業性の向上を得られる。【００５１】
配線接続部Ｚ自体、電源線用端子台１３と通信線用端子台１４を上下に配置したから、左右の幅方向が拡がらずにすむ。しかも、電源線用端子台１３を手前側に設け、通信線用端子台１４を奥側に設けたから、上下高さ方向の抑制化を図れる。結局、配線接続部Ｚの小型化を得られる。【００５２】
上記室内ユニットＸは、被空調室の壁面に取付けられる壁掛けタイプとし、配線接続部Ｚを室内ユニットＸの一側部に収容される電気部品箱４の前面に設けたから、壁掛けタイプの室内ユニットＸにおいて、配線接続部Ｚによる省スペース化と、配線接続作業性の向上を得られる。【００５３】
さらに、上記室内ユニットは、複数の被空調室にそれぞれ取付けられる複数の室内ユニットのうちの、少なくとも１台を構成するようにしたから、マルチタイプの空気調和装置において、少なくとも１台の室内ユニットＸに備えられる配線接続部Ｚによる省スペース化と、配線接続作業性の向上を得られる。【００５４】
また、１台の室外ユニットＹに対して複数台の室内ユニット及び複数台の切換えユニットから構成される空気調和装置がある。この種の空気調和装置は、切換えユニットの切換え操作により、全ての室内ユニットが冷房を行う全冷房運転と、全ての室内ユニットが暖房を行う全暖房運転と、各室内ユニットでの冷房と暖房の同時運転が可能である。【００５５】
上記空気調和装置については、本出願人が出願したマルチ形空気調和装置（国際公開番号：Ｗ０２００６／００３８８６０）の明細書に詳細に記載されている。【００５６】
この場合の通信線用端子台１４に対する内外渡り線（通信線）Ｃ１及びリモコン通信線Ｃ２の接続は、図４で示したものと何ら変りがないので、説明を省略する。ただし、電源線用端子台１３に対する接続は、図７に示すようになる。【００５７】
被空調室のコンセントに接続される電源線Ｃ３を、電源線用端子台１３のねじ端子部１９に接続することは変りがない。そして、上記空気調和装置の切換えユニットから延出される電源線Ｃ４を、他方のクランプ具２６とクランプベース７との隙間に挿通し、端部に設けられる端子を電源線用端子台１３のファストン端子部２０に接続する。【００５８】
上記電源線Ｃ４の中途部をクランプ具２６の膨出部２６ａに嵌め込み、クランプ具２６を取付け用ねじ２７で締結することで、切換えユニットから延出される電源線Ｃ４を固定するとともに、内外渡り配線（通信線）Ｃ１と通信線Ｃ２を固定する。空調作用は上述のように行われ、配線接続部Ｚとして上述のような効果を奏する。【００５９】
なお、上記空気調和装置において、図５に示す電源線Ｃ３は被空調室のコンセントに接続すると説明したが、これに限定されるものではない。室外ユニットＹが電源に接続され、この室外ユニットＹを介して室内ユニットＸに電源を取り込む場合は、電源線は室外ユニットＹに接続される。【００６０】
また、室外ユニットＹから電源を供給される室内ユニットＸを介して電源を取り込む場合は、その室内ユニットＸに接続されることになる。【００６１】
図８に示す空気調和装置は、３相の室外電源に接続された１台の室外ユニットＹと、この室外ユニットＹから電源を供給される２台の室内ユニットＸ１、Ｘ２とから構成されるタイプの空気調和装置である。【００６２】
この場合は、図２に示す電源線用端子台１３に代えて、図９にも示すように、ねじ端子部１９が左右中央に並んで３個設けられ、同様にファストン端子部２０が３個設けられた電源用端子台３０が用いられる。【００６３】
室内ユニットＸ１において、図１０にも示すように、室外ユニットＹから延びる電源線及び通信線を兼ねた内外渡り線Ｃ５を電源用端子台３０のねじ端子部１９に接続し、リモコンと接続される通信線Ｃ２を通信線用端子台１４の端子部Ａ，Ｂに接続する。【００６４】
ここで、２台の室内ユニットＸは、流量調整可能な弁を備えておらず、２台の室内ユニットＸ１，Ｘ２に対する運転／停止／温度調整／風量調整は、１つのリモコンによって同時に操作される。【００６５】
また、室内ユニットＸ２への電源線は、室内ユニットＸ１を介して室外ユニットＹから供給されるため、室内ユニットＸ１の電源用端子台３０から延びる電源線Ｃ６が室内ユニットＸ２の電源用端子台３０のねじ端子部１９に接続される。同様に通信線Ｃ２も室内ユニットＸ１から延び、室内ユニットＸ２の通信線用端子台１４の端子部Ａ、Ｂに接続される。【００６６】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【産業上の利用可能性】
【００６７】
本発明によれば、電源コードと通信線を接続する配線接続部において、省スペース化を図るとともに、配線作業性の向上化を得られる効果を奏する。
【図１】
2010050600.tif 000003
【図２】
2010050600.tif 000004
【図３】
2010050600.tif 000005
【図４】
2010050600.tif 000006
【図５】
2010050600.tif 000007
【図６】
2010050600.tif 000008
【図７】
2010050600.tif 000009
【図８】
2010050600.tif 000010
【図９】
2010050600.tif 000011
【図１０】
2010050600.tif 000012
【国際調査報告】
2010050600.tif 000013
2010050600.tif 000014